Podtech/llm-jp-corpus-v4-ja_patent huggingface dataset:
【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
１つ又は複数のプロセッサによって実行されると、該１つ又は複数のプロセッサに、
環境に関してキャプチャされたデータを取得するステップと、
前記キャプチャされたデータから置換することができる要素を決定するステップと、
前記キャプチャされたデータから前記要素を取り除いて、該取り除かれた要素を含まない圧縮データファイルを作成するステップと、
前記取り除かれた要素を置き換える代替要素へのリンクを、前記圧縮データファイルに関連付けられるように追加するステップと、
前記代替要素へのリンクと前記圧縮データファイルの少なくとも一部とを使用して、強化されたコンテンツを構築するのを可能にするステップと
を含む動作を実行させる、コンピュータプログラム。
【請求項２】
前記動作は、
前記キャプチャされたデータに少なくとも部分的に基づいて、前記キャプチャされたデータに関連付けられる追加の要素を決定するステップと、
前記キャプチャされたデータに関連付けられるように、前記追加の要素へのリンクを追加するステップであって、前記追加の要素へのリンクは、前記代替要素へのリンクと組み合わせで、前記取り除かれた要素よりも小さいデータサイズを有する、ステップと、
を更に備える、請求項１に記載のコンピュータプログラム。
【請求項３】
前記キャプチャされたデータは、該キャプチャされたデータがデバイスによってキャプチャされたときの該デバイスの地理的位置を記述するメタデータを備えるが、前記キャプチャされたデータは、前記地理的位置においてキャプチャされる画像又はオーディオは含まない、請求項２に記載のコンピュータプログラム。
【請求項４】
前記追加の要素は、別のデバイスによって前記地理的位置でキャプチャされた画像を含む、請求項３に記載のコンピュータプログラム。
【請求項５】
強化される画像のための圧縮方法であって
画像の要素が置換可能であるかどうかを、置換可能な要素と代替要素とを識別することにより、判断するステップと、
前記置換可能な要素を取り除いて、圧縮された画像を生成するステップと、
前記代替要素へのリンクを追加するステップと、
前記圧縮された画像と、前記代替要素へのリンクを使用して、前記強化された画像を構築することを可能にするステップと、
を含む、圧縮方法。
【請求項６】
前記の判断するステップは、
前記置換可能な要素が前記代替要素との閾値以下の差を有することに応答して、前記置換可能な要素が置換可能であると判断するステップ
を含む、請求項５に記載の圧縮方法。
【請求項７】
前記代替要素へのリンクを追加するステップは、
前記置換可能な要素について、前記置換可能な要素と前記代替要素との間の差異を示す変更データを格納することを更に含む、請求項５に記載の圧縮方法。
【請求項８】
前記代替要素は、前記置換可能な要素よりも高解像度を有する、請求項５に記載の圧縮方法。
【請求項９】
前記置換可能な要素又は前記代替要素に関連付けられる追加の要素へのリンクを追加して、前記画像の視野を拡張するステップを更に備える、請求項５に記載の圧縮方法。
【請求項１０】
前記置換可能な要素又は前記代替要素に関連付けられる追加の要素へのリンクを追加するステップを更に備え、前記追加の要素は、画像データとは異なるタイプのデータを備える、請求項５に記載の圧縮方法。
【手続補正２】
【補正対象書類名】明細書
【補正対象項目名】００１１
【補正方法】変更
【補正の内容】
【００１１】
データをキャプチャすることは、環境に関するデータ及び／又はメタデータを記録することを指す。環境に関するデータを記録することは、環境自体の特性を記録又は感知することを指す。静止画データ、ビデオデータ、オーディオデータ及びこれらの組合せ等のように、環境に関する様々なタイプのデータのいずれか１つ又は複数を記録することができる。例えばキャプチャデバイス１０２は、特定の環境の静止画（例えば写真）及びその特定の環境で感知されたオーディオを記録すること等ができる。
【手続補正３】
【補正対象書類名】明細書
【補正対象項目名】００２７
【補正方法】変更
【補正の内容】
【００２７】
リンク挿入モジュール２０４が識別する、キャプチャされたデータ２１２の要素を、他のデータからの要素によって置換することができるように、リンク挿入モジュール２０４は、キャプチャされたデータ２１２から、置換することが可能な識別された要素を取り除く。この置換可能な要素を、異なる手法により、キャプチャされたデータ２１２から取り除くことができる。１つ又は複数の実施形態において、識別された要素についてのデータを、（典型的には高圧縮率で圧縮することができる）何らかの他のデータ、例えば一連の全て“０”ビットの値又は全て“１”ビットの値で置換される。例えば写真（キャプチャされたデータ２１２）のある要素が取り除かれると、その写真のデータでは、その要素に含まれるピクセルについてのデータを“０”又は“１”の値で置換することができる。他の実施形態において、取り除かれた要素及びデータ内の対応する位置を識別するテーブル又は他のレコードを保持することができ、識別された要素のデータは、単に削除される。例えば写真（キャプチャされたデータ２１２）の要素が取り除かれる場合、写真内のどのピクセルがその要素に対応するかを識別するテーブル又は他のレコードを保持することができ、写真のデータにおいて、その要素に対応するピクセルについてのデータを単に削除することができる。
【手続補正４】
【補正対象書類名】明細書
【補正対象項目名】００３１
【補正方法】変更
【補正の内容】
【００３１】
置換可能な要素がキャプチャデータ２１２内で配置されている場所についての指示も記録される。キャプチャデータ２１２内における置換可能な要素の場所の指示は、特定のデータ範囲。特定のピクセルに関連付けられるデータ等のような異なる形式をとることができる。置換可能な要素がキャプチャされたデータ２１２内に配置される場所の指示を保持することにより、以下でより詳細に説明されるように、強化されたコンテンツを生成するときに、代替要素を追加することが可能になる。キャプチャされたデータ２１２における置換可能な要素の場所の指示を、代替要素へのリンクの一部として格納すること、キャプチャされたデータ２１２に関連付けられた追加のデータ内に格納すること等のような、異なる手法で格納することができる。
【手続補正書】
【提出日】平成27年11月11日(2015.11.11)
【手続補正１】
【補正対象書類名】特許請求の範囲
【補正対象項目名】全文
【補正方法】変更
【補正の内容】
【特許請求の範囲】
【請求項１】
配列番号１のアミノ酸配列を有する精製された組換えイズロン酸−２−スルファターゼ（Ｉ２Ｓ）を含む組成物であって、精製された組換えＩ２Ｓは、配列番号１のＣｙｓ５９に対応するシステイン残基の、Ｃα-ホルミルグリシン（ＦＧｌｙ）への少なくとも７０％の転換を含み、精製された組換えＩ２Ｓは、１５０ｎｇ／ｍｇ未満の宿主細胞タンパク質（ＨＣＰ）を含有する、組成物。
【請求項２】
精製された組換えＩ２Ｓは、配列番号１のＣｙｓ５９に対応するシステイン残基の、Ｃα-ホルミルグリシン（ＦＧｌｙ）への少なくとも７５％の転換を含む、請求項１に記載の組成物。
【請求項３】
精製された組換えＩ２Ｓは、配列番号１のＣｙｓ５９に対応するシステイン残基の、Ｃα-ホルミルグリシン（ＦＧｌｙ）への少なくとも８５％の転換を含む、請求項１に記載の組成物。
【請求項４】
配列番号１のアミノ酸配列を有する精製された組換えイズロン酸−２−スルファターゼ（Ｉ２Ｓ）を含む組成物であって、
精製された組換えＩ２Ｓは、配列番号１のＣｙｓ５９に対応するシステイン残基の、Ｃα-ホルミルグリシン（ＦＧｌｙ）への少なくとも７０％の転換を含み、および、
精製された組換えＩ２Ｓは、１分子あたり少なくとも１０％のビスリン酸化オリゴ糖を含有する、組成物。
【請求項５】
精製された組換えＩ２Ｓは、１分子あたり少なくとも５０％のビスリン酸化オリゴ糖を含有する、請求項４に記載の組成物。
【請求項６】
配列番号１のアミノ酸配列を有する精製された組換えイズロン酸−２−スルファターゼ（Ｉ２Ｓ）を含む組成物であって、
精製された組換えＩ２Ｓは、配列番号１のＣｙｓ５９に対応するシステイン残基の、Ｃα-ホルミルグリシン（ＦＧｌｙ）への少なくとも７０％の転換を含み、
精製された組換えＩ２Ｓタンパク質は、基質としてヘパリン二糖類を用いて、ｉｎ  ｖｉｔｒｏの硫酸塩放出活性アッセイによって特定される場合、少なくとも４０Ｕ／ｍｇの特異的活性を有する、組成物。
【請求項７】
精製された組換えＩ２Ｓタンパク質は、基質としてヘパリン二糖類を用いて、ｉｎ  ｖｉｔｒｏの硫酸塩放出活性アッセイによって特定される場合、少なくとも５０Ｕ／ｍｇの特異的活性を有する、請求項６に記載の組成物。
【請求項８】
精製された組換えＩ２Ｓタンパク質は、基質としてヘパリン二糖類を用いて、ｉｎ  ｖｉｔｒｏの硫酸塩放出活性アッセイによって特定される場合、少なくとも６０Ｕ／ｍｇの特異的活性を有する、請求項６に記載の組成物。
【請求項９】
配列番号１のアミノ酸配列を有する精製された組換えイズロン酸−２−スルファターゼ（Ｉ２Ｓ）をを含む組成物であって、
精製された組換えＩ２Ｓは、配列番号１のＣｙｓ５９に対応するシステイン残基の、Ｃα-ホルミルグリシン（ＦＧｌｙ）への少なくとも７０％の転換を含み、
精製された組換えＩ２Ｓタンパク質は、ｉｎ  ｖｉｔｒｏの４-ＭＵＦ-ＳＯ４から４-ＭＵＦへの変換アッセイによって特定される場合、少なくとも２０Ｕ／ｍｇの特異的活性を有する、組成物。
【請求項１０】
精製された組換えＩ２Ｓタンパク質は、ｉｎ  ｖｉｔｒｏの４-ＭＵＦ-ＳＯ４から４-ＭＵＦへの変換アッセイによって特定される場合、少なくとも３０Ｕ／ｍｇの特異的活性を有する、請求項９に記載の組成物。
【請求項１１】
精製された組換えＩ２Ｓタンパク質は、ｉｎ  ｖｉｔｒｏの４-ＭＵＦ-ＳＯ４から４-ＭＵＦへの変換アッセイによって特定される場合、少なくとも４０Ｕ／ｍｇの特異的活性を有する、請求項９に記載の組成物。
【請求項１２】
精製された組換えＩ２Ｓタンパク質は、ｉｎ  ｖｉｔｒｏの４-ＭＵＦ-ＳＯ４から４-ＭＵＦへの変換アッセイによって特定される場合、少なくとも５０Ｕ／ｍｇの特異的活性を有する、請求項９に記載の組成物。
【請求項１３】
精製された組換えＩ２Ｓタンパク質は、ｉｎ  ｖｉｔｒｏの４-ＭＵＦ-ＳＯ４から４-ＭＵＦへの変換アッセイによって特定される場合、少なくとも６０Ｕ／ｍｇの特異的活性を有する、請求項９に記載の組成物。
【請求項１４】
配列番号１のアミノ酸配列を有する精製された組換えイズロン酸−２−スルファターゼ（Ｉ２Ｓ）を含む組成物であって、精製された組換えＩ２Ｓは、
（ｉ）配列番号１のＣｙｓ５９に対応するシステイン残基の、Ｃα-ホルミルグリシン（ＦＧｌｙ）への少なくとも７０％の転換を含み、および
（ｉｉ）平均して１分子あたり少なくとも１６個のシアル酸を含有する、
組成物。
【請求項１５】
配列番号１のアミノ酸配列を有する精製された組換えイズロン酸−２−スルファターゼ（Ｉ２Ｓ）を含む組成物であって、
精製された組換えＩ２Ｓは、配列番号１のＣｙｓ５９に対応するシステイン残基の、Ｃα-ホルミルグリシン（ＦＧｌｙ）への少なくとも７０％の転換を含み、および、
精製された組換えＩ２Ｓは、中性（ピーク群１）、モノシアリル化（ピーク群２）、ジシアリル化（ピーク群３）、モノホスホリル化（ピーク群４）、トリシアリル化（ピーク群５）、テトラシアリル化（ピーク群６）、またはジホスホリル化（ピーク群７）Ｉ２Ｓタンパク質を示すピーク群から選択される７つまたはそれより少ないピーク群を含むグリカンマップを特徴とする、組成物。
【請求項１６】
精製された組換えＩ２Ｓタンパク質は、１００ｎｇ／ｍｇ未満のＨＣＰを含有する請求項１に記載の組成物。
【請求項１７】
精製された組換えＩ２Ｓタンパク質は、８０ｎｇ／ｍｇ未満のＨＣＰを含有する請求項１に記載の組成物。
【手続補正書】
【提出日】平成28年6月9日(2016.6.9)
【手続補正１】
【補正対象書類名】特許請求の範囲
【補正対象項目名】全文
【補正方法】変更
【補正の内容】
【特許請求の範囲】
【請求項１】
家畜の排泄物を受容するように構成され、且つ人間の排泄物を受容するように構成された前記人間を収容するための領域（６）と下水排出パイプ・ライン（５）との間に設置された人間廃棄物排出パイプ（４）に至る動物廃棄物排出パイプ（３）を含む、家畜を収容するための領域（１）であって、さらに、前記家畜の排泄物の前記受容を可能とするための第１の位置、及び前記家畜の排泄物の前記排出を可能とするための第２の位置を有する回転可能封止装置（１１）を含み、前記回転可能封止装置（１１）は、家畜を収容するための前記領域（１）を前記動物廃棄物排出パイプ（３）から分離し隔離する、ことを特徴とする、家畜を収容するための領域（１）。
【請求項２】
前記回転可能封止装置（１１）が垂直中央軸を備えるとともに表面が実質的に平坦且つ前記動物廃棄物排出パイプ（３）の頂部を通過する平面に平行である回転スライド弁であり、前記回転スライド弁が第１及び第２の重ねられたスライド部からなり、前記スライド部のそれぞれが中実のものと中空のものが交互となっているｎ個の区域からなり、ｎが偶数である、ことを特徴とする、請求項１に記載の家畜を収容するための領域（１）。
【請求項３】
前記回転可能封止装置（１１）が水平面に平行である中央水平軸を備えるシリンダであり、前記シリンダが、中央で取られた前記シリンダの断面の中央線上に重なる座標軸を有する三角法による座標系において、前記シリンダの全長にわたって湾曲し直径方向に関して対向する少なくとも２つの空洞部（２４、２５）を有する、ことを特徴とする、請求項１に記載の家畜を収容するための領域（１）。
【請求項４】
水供給パイプ（１４）が前記動物廃棄物排出パイプ（３）に接続される、ことを特徴とする、請求項１に記載の家畜を収容するための領域（１）。
【請求項５】
所定量のリッター材料（１２）を放出するように構成された容積測定分注弁（１６）を有するリッター材料タンク（１５）に接続され、前記リッター材料タンク（１５）が第１の開位置及び第２の閉位置を有する、ことを特徴とする、請求項１から４までのいずれか一項に記載の家畜を収容するための領域（１）。
【請求項６】
人間である使用者を収容するための前記領域（６）から壁（７）によって分離される、ことを特徴とする、請求項１から５までのいずれか一項に記載の家畜を収容するための領域。
【請求項７】
前記壁（７）に形成された前記家畜を中に導入するためのアクセス開口部（２０）を含む、ことを特徴とする、請求項６に記載の家畜を収容するための領域。
【請求項８】
前記少なくとも１つの動物廃棄物排出パイプ（３）の頂部を通過する水平面に対してある角度αで傾斜した傾斜底部壁部（１０）を有する、ことを特徴とする、請求項１から７までのいずれか一項に記載の家畜を収容するための領域。
【請求項９】
電子制御−管理システム（９）に接続された、前記家畜の存在を検出するための少なくとも１つの動作検出器（８）を含む、ことを特徴とする、請求項１から８までのいずれか一項に記載の家畜を収容するための領域。
【請求項１０】
光源（１３）を含む、ことを特徴とする、請求項１から９までのいずれか一項に記載の家畜を収容するための領域。
【請求項１１】
前記動物廃棄物排出パイプ（３）がサイフォンによって延長される、ことを特徴とする、請求項１から１０までのいずれか一項に記載の家畜を収容するための領域。
【請求項１２】
整備ハッチ（３０）を含む、ことを特徴とする、請求項１から１１までのいずれか一項に記載の家畜を収容するための領域。
【請求項１３】
請求項１から１２までのいずれか一項に記載の家畜が使用するための衛生装置を動作させるための動作方法であって、以下の逐次ステップ、
−少なくとも１つの動作検出器（８）により動物を収容するための前記領域（１）内への家畜の進入を検出すること、
−少なくとも１つの動作検出器（８）により動物を収容するための前記領域（１）からの前記家畜の退出を検出すること、
−前記家畜の排泄物の前記受容を可能とするように配置された第１の位置から、前記家畜の排泄物の前記排出を可能とするように配置された第２の位置へと移るために、所定のピッチにより前記回転可能封止装置（１１）の回転をもたらすこと、
を含むことを特徴とする動作方法。
【請求項１４】
前記水貯留槽（１９）から前記動物廃棄物排出パイプ（３）に所定量の水を供給することによる水洗によって、前記動物廃棄物排出パイプ（３）を清掃するステップをさらに含む。請求項１３に記載の家畜が使用するための衛生装置を動作させるための動作方法。
【請求項１５】
リッター・タンク（１５）から家畜を収容するための前記領域（１）に清潔なリッター材料（１２）を供給するステップであって、前記リッター材料タンク（１５）が容積測定分注弁を備え且つ第１の開位置及び第２の閉位置を有する供給するステップをさらに含む、請求項１３又は１４のいずれか一項に記載の家畜が使用するための衛生装置を動作させるための動作方法。
【手続補正書】
【提出日】平成28年6月29日(2016.6.29)
【手続補正１】
【補正対象書類名】特許請求の範囲
【補正対象項目名】全文
【補正方法】変更
【補正の内容】
【特許請求の範囲】
【請求項１】
開口部と、ルミノメーターに操作上連結されるようになっているキュベット部と、を備えた容器と、
ルシフェリンを含む液体試薬組成物であり、前記液体試薬組成物は閉鎖した区画に配置され、前記液体試薬組成物のｐＨは約６．８以下である、液体試薬組成物と、
試料採取部を有する試料採取装置と、を含み、
前記試料採取部は、実質的に複数の繊維間の空間によって形成されない１つ以上の窪みに、所定量の液体試料を獲得し解放可能に保持するようになっており、
前記試料採取装置は、前記液体試薬組成物と接触したとき、前記液体試薬組成物のｐＨを６．９以上に変える、有効量のｐＨ調整試薬を含む乾式被膜を含む、キット。
【請求項２】
開口部と、ルミノメーターに操作上連結されるようになっているキュベット部と、を備えた容器と、
ルシフェリンを含む液体試薬組成物であり、前記液体試薬組成物は閉鎖した区画に配置され、前記液体試薬組成物のｐＨは約６．８以下である、液体試薬組成物と、
試料採取部を有する試料採取装置と、を含み、
前記試料採取部は、実質的に複数の繊維間の空間によって形成されない１つ以上の窪みに、所定量の液体試料を獲得し解放可能に保持するようになっており、
前記試料採取装置は、前記液体試薬組成物と接触したとき、前記液体試薬組成物のｐＨを６．９以上に変える、有効量のｐＨ調整試薬を含む乾式被膜を含む、器具。
【請求項３】
前記ルシフェラーゼ酵素は、本質的に、温度、イオン性洗剤、及び還元剤のばらつきに対して、対応する非組み換えルシフェラーゼ酵素より感度が低いルシフェラーゼ活性を有する組み換えルシフェラーゼ酵素からなる、請求項１または２に記載のキット又は器具。
【請求項４】
所定量の液体試料を取得するために試料採取装置を用いるステップであって、
前記試料採取装置は、試料採取部を含み、
前記試料採取部は、実質的に複数の繊維間の空間によって形成されない１つ以上の窪みに、所定量の液体試料を獲得し解放可能に保持するようになっており、
前記試料採取装置は、約６．８以下のｐＨを有する液体試薬組成物と接触したとき、前記液体試薬組成物のｐＨを６．９以上に変える、有効量のｐＨ調整試薬を含む乾式被膜を含み、
前記液体試薬組成物は、ルシフェリンを含む、ステップと、
反応混合物を形成するために、容器中で前記所定量の試料及び前記ｐＨ調整試薬を液体試薬組成物と接触させるステップと、
前記反応混合物から放出された光を検出するためにルミノメーターを用いるステップであって、
前記容器は、前記ルミノメーターに操作上連結されるようになっているキュベット部を含む、ステップと、を含む、方法。
【手続補正書】
【提出日】平成28年6月3日(2016.6.3)
【手続補正１】
【補正対象書類名】特許請求の範囲
【補正対象項目名】全文
【補正方法】変更
【補正の内容】
【特許請求の範囲】
【請求項１】
円筒形端部（３１）を有する電気デバイス（３０）周囲の均一な電気応力分布を目的とするコロナフリーキャップアセンブリであって、前記円筒形端部（３１）上でその円周方向に沿って締付けるように構成された締付部材（２０）と、２つの開放端部（１４、１６）を有するグレージングチャンバ（１５）を有するコロナフリーキャップ（１０）と、を備え、前記コロナフリーキャップが前記電気デバイス（３０）上に取り外し可能に固定され、前記電気デバイス（３０）の前記円筒形端部（３１）が、前記開放端部（１４、１６）のうちの１つ（１６）を通じて前記コロナフリーキャップ（１０）の前記グレージングチャンバ（１５）内に少なくとも部分的に延びるように、前記グレージングチャンバ（１５）内に固定されると共に前記締付部材（２０）と接続するように適合された接続コンポーネント（１１）を前記コロナフリーキャップ（１０）が更に有する、コロナフリーキャップアセンブリ。
【請求項２】
前記締付部材（２０）が、環状体（２１）と、型締力調節機構（２３）とを備え、前記型締力調節機構（２３）が、前記円筒形端部（３１）上に締付けられた前記環状体（２１）を締付け／解除するように適合され、前記型締力調節機構（２３）が、
２つの端部を形成するように前記環状体（２１）上に設けられた間隙（２３１）と、
前記締付部材（２０）が前記円筒形端部（３１）にかける前記型締力を調節するために、前記間隙（２３１）の寸法を変更するために設けられた調節手段（２３２）と、を備える、請求項１に記載のコロナフリーキャップアセンブリ。
【請求項３】
前記締付部材（２０）が、第１の円弧体（２１１）と、第２の円弧体（２１２）と、２つの調節手段（２３２）と、を備え、それぞれの調節手段（２３２）が、前記締付部材（２０）が前記円筒形端部（３１）上に締付けられるように、前記第１の円弧体（２１１）の一方の端部と前記第２の円弧体（２１２）の一方の端部とを接続するように適合される、請求項１に記載のコロナフリーキャップアセンブリ。
【請求項４】
電気ケーブル（４０）と、
前記電気ケーブル（４０）の少なくとも一部を被膜するように適合された、円筒形端部（３１）を有する絶縁体（３０）と、
前記絶縁体（３０）上に取り外し可能に固定され、前記絶縁体（３０）周囲の均一な電気応力分布を目的とするように適合される、請求項１〜３のいずれか一項に記載のコロナフリーキャップアセンブリと、を備える、電気ケーブル成端アセンブリ。
【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
出発リグノセルロース系バイオマスをサイズ低減して、粒径約５００μｍ未満を有するリグノセルロース系バイオマスを形成する工程と、
混合物を形成する工程であって、
水、および
粒径約５００μｍ未満を有する前記リグノセルロース系バイオマス
を含む混合物を形成する工程と、
少なくとも１種類のＣ５またはＣ６サッカリドを生成するのに十分な時間、少なくとも約３７４℃の温度および少なくとも約２２１バールの圧力で水と前記混合物を接触させる工程と
を含む方法において、
前記混合物が、外因性の酸を実質的に含有しないことを特徴とする、方法。
【請求項２】
請求項１に記載の方法において、
前記サイズ低減が、任意にアンモニア、二酸化硫黄、およびその組み合わせからなる群から選択される化学物質の存在下にて、前記出発リグノセルロース系バイオマスを蒸気爆発させることを含むことを特徴とする、方法。
【請求項３】
請求項１に記載の方法において、
前記サイズ低減が、前記出発リグノセルロース系バイオマスを粉砕することを含むことを特徴とする、方法。
【請求項４】
請求項１に記載の方法において、
前記出発リグノセルロース系バイオマスが、酸官能基を実質的に含有しないことを特徴とする、方法。
【請求項５】
請求項１に記載の方法において、
前記出発リグノセルロース系バイオマスが、自己加水分解に対して実質的に安定であることを特徴とする、方法。
【請求項６】
請求項１に記載の方法において、
前記Ｃ５またはＣ６サッカリドが、Ｃ５単糖、重合度約１５未満を有するＣ５オリゴ糖、Ｃ６単糖、重合度約１５未満を有するＣ６オリゴ糖、およびその組み合わせからなる群から選択される少なくとも１種類の糖であることを特徴とする、方法。
【請求項７】
請求項１に記載の方法において、
前記Ｃ５またはＣ６サッカリドが、グルコースとキシロースの組み合わせであることを特徴とする、方法。
【請求項８】
請求項１に記載の方法において、
前記期間が約０．１秒〜約１０秒であることを特徴とする、方法。
【請求項９】
組成物の全重量に対して、Ｃ５単糖を約０．１重量％〜約４重量％；
組成物の全重量に対して、重合度約１５未満を有するＣ５オリゴ糖を約０．１重量％〜約４重量％；
組成物の全重量に対して、Ｃ６単糖を約０．１重量％〜約８重量％；
組成物の全重量に対して、重合度約１５未満を有するＣ６オリゴ糖を約０．１重量％〜約８重量％；
含むことを特徴とする、組成物。
【請求項１０】
組成物の全重量に対して、Ｃ５単糖を約０．１重量％〜約４重量％；
組成物の全重量に対して、Ｃ６単糖を約０．１重量％〜約８重量％；
含むことを特徴とする、組成物。
【請求項１１】
請求項１に記載の方法において、
前記サイズ低減が、二酸化硫黄の存在下にて、前記出発リグノセルロース系バイオマスを蒸気爆発させることを含むことを特徴とする、方法。
【請求項１２】
請求項１に記載の方法において、
前記リグノセルロース系バイオマスが熱処理されたセルロース系バイオマスから誘導されることを特徴とする、方法。
【請求項１３】
請求項１に記載の方法において、
前記リグノセルロース系バイオマスが化学処理されたセルロース系バイオマスから誘導されることを特徴とする、方法。
【請求項１４】
請求項１に記載の方法において、
前記リグノセルロース系バイオマスが、約１０μｍ乃至３００μｍの粒径を有することを特徴とする、方法。
【請求項１５】
請求項１に記載の方法において、
前記期間が約２秒またはそれより短いことを特徴とする、方法。
【請求項１６】
請求項１に記載の方法において、
前記方法の少なくとも一部が発酵槽を使用することを特徴とする、方法。
【請求項１７】
請求項１６に記載の方法において、
前記サイズ低減が、前記出発リグノセルロース系バイオマスを蒸気爆発させることを含むことを特徴とする、方法。
【請求項１８】
請求項１に記載の方法において、
前記出発リグノセルロース系バイオマスが、発酵槽中のバイオマスの処理から得られることを特徴とする、方法。
【請求項１９】
請求項１８に記載の方法において、
前記サイズ低減が、前記出発リグノセルロース系バイオマスを蒸気爆発させることを含むことを特徴とする、方法。
【請求項２０】
請求項１に記載の方法において、
前記接触工程における前記水が、水温約３９０℃乃至約４７０℃であり、少なくとも２２５バールの圧力であることを特徴とする、方法。
【手続補正書】
【提出日】平成28年7月8日(2016.7.8)
【手続補正１】
【補正対象書類名】特許請求の範囲
【補正対象項目名】全文
【補正方法】変更
【補正の内容】
【特許請求の範囲】
【請求項１】
ヒト胚性幹細胞（ｈＥＳＣ）または誘導多能性幹細胞（ｉＰＳＣ）からトロホブラスト由来の間葉系幹細胞（Ｔ−ＭＳＣ）を生成する方法であって、
（ａ）ｈＥＳＣまたはｉＰＳＣをトロホブラストに分化させるのに十分な好適な１日〜５日間の第１の期間の間、骨形成タンパク質（ＢＭＰ）を含む培地中で、または分化効率を増加させるためのＴＧＦβ阻害剤と一緒に、前記ｈＥＳＣまたはｉＰＳＣを培養することと、
（ｂ）トロホブラスト細胞を単一細胞に解離させることと、
（ｃ）前記トロホブラスト細胞を、ゼラチン、ビトロネクチン、ラミニン、フィブロネクチン、マトリゲル、またはコラーゲンでコーティングしたプレート上に再播種することと、
（ｄ）拡張効率を増加させるために、ＬＩＦ、ｂＦＧＦ、またはＰＤＧＦを含有する間葉系幹細胞（ＭＳＣ）成長培地中で、好適な４日〜１０日間の第２の期間の間、前記トロホブラスト細胞を培養することと、を含む、方法。
【請求項２】
ｈＥＳＣまたはｉＰＳＣからＴ−ＭＳＣを生成する方法であって、
（ａ）ｈＥＳＣまたはｉＰＳＣをトロホブラストに分化させるために、ＢＭＰ４を含む培地中で、または分化効率を増加させるためのＴＧＦβ阻害剤と一緒に、前記ｈＥＳＣまたはｉＰＳＣを１．５日〜５日間培養することと、
（ｂ）前記トロホブラストを単離することと、
（ｃ）前記単離したトロホブラストからトロホブラスト細胞を解離させることと、
（ｄ）前記トロホブラスト細胞をマトリゲルコーティングしたプレート上に再播種することと、
（ｅ）前記単一細胞の間葉系幹細胞への分化を誘導するのに十分な量の、血清、ＫＯＳＲを含有するＭＳＣ成長培地、または他の無血清培地中で４〜１０日間前記トロホブラスト細胞を培養することと、を含み、前記間葉系幹細胞の少なくとも約９０％がＣＤ７３を発現する、方法。
【請求項３】
前記ＴＧＦβ阻害剤が、ＳＢ４３１５４２、Ａ８３−０１、またはＡＬＫ５阻害剤である、請求項１に記載の方法。
【請求項４】
請求項１に記載の第１のステップ前に、ｈＥＳＣが培養され、
（ｉ）マトリゲルコーティングしたプレート上で約８０％のコンフルエンシーまで培養するステップと、
（ｉｉ）好適な条件下で解離させるステップと、
（ｉｉｉ）単離するステップと、
（ｉｖ）洗浄するステップと、を含む、請求項１に記載の方法。
【請求項５】
ＢＭＰ４の濃度が約１〜約１００ｎｇ／ｍｌであり、ＢＭＰ２の濃度が約１００〜約５００ｎｇ／ｍｌであり、ＢＭＰ７の濃度が約１００〜約５００ｎｇ／ｍｌであり、増殖および分化因子５（ＧＤＦ５）の濃度が約１０〜約５０ｎｇ／ｍｌである、請求項１に記載の方法。
【請求項６】
請求項１に記載の方法によって生成される、トロホブラスト由来のＭＳＣ（Ｔ−ＭＳＣ）、脂肪細胞、軟骨細胞、骨芽細胞、神経系列細胞、筋芽細胞、間質細胞、および線維芽細胞の集団。
【請求項７】
前記Ｔ−ＭＳＣが、ＣＤ７３＋、ＣＤ１０５＋、およびＣＤ９０＋である、請求項６に記載の集団。
【請求項８】
対象において、組織または臓器移植中の免疫拒否反応を予防または抑制するための方法であって、対象に、請求項１に記載の方法によって生成されるＴ−ＭＳＣの好適な投与経路による好適な投与量を投与することを含む、方法。
【請求項９】
前記細胞が、少なくとも約９０％のＣＤ７３＋である、請求項６に記載の細胞集団。
【請求項１０】
自己免疫疾患を治療するための請求項６に記載の間葉系幹細胞（Ｔ−ＭＳＣ）の集団であって、（ｉ）群１マーカーを発現する細胞を９５％超含有する、（ｉｉ）群２マーカーを発現する細胞を８０％超含有する、（ｉｉｉ）群３マーカーを発現する細胞を５％未満含有する、（ｉｖ）ＩＬ−１０およびＴＧＦβを発現する、（ｖ）ＩＬ−６、ＩＬ−１２、およびＴＮＦαを発現する細胞を２％未満含有する、ならびに（ｖｉ）すべての群４マーカーを共発現する細胞を０．００１％未満含有する、特性を有するＴ−ＭＳＣを選択することを含み、群１マーカーが、ＣＤ７３、ＣＤ９０、ＣＤ１０５、ＣＤ１４６、ＣＤ１６６、およびＣＤ４４であり、群２マーカーが、ＣＤ１３、ＣＤ２９、ＣＤ５４、ＣＤ４９Ｅであり、群３マーカーが、ＣＤ４５、ＣＤ３４、ＣＤ３１、およびＳＳＥＡ４であり、群４マーカーが、ＯＣＴ４、ＮＡＮＯＧ、ＴＲＡ−１−６０、およびＳＳＥＡ４である、方法。
【請求項１１】
前記細胞が、ＭＭＰ２およびＲＡＧＥを発現しない、請求項１０に記載の方法。
【請求項１２】
前記Ｔ−ＭＳＣ細胞が、骨髄由来の間葉系幹細胞（ＢＭ−ＭＳＣ）によるＩＦＮγＲ１およびＩＦＮγＲ２の発現と比較して、ＩＦＮγＲ１およびＩＦＮγＲ２の低発現を有する、請求項１０に記載の方法。
【請求項１３】
前記選択されたＴ−ＭＳＣの特性が、ＣＤ７３を発現すること、およびＩＬ−６の低発現または非発現、の特性をさらに含む、請求項１０に記載の方法。
【請求項１４】
前記選択されたＴ−ＭＳＣの特性が、ＣＤ９０、ＣＤ１０５、ＣＤ１３、ＣＤ２９、ＣＤ５４、ＣＤ１４６、ＣＤ１６６、およびＣＤ４４からの少なくとも１つの細胞マーカーを発現すること、ＣＤ３４、ＣＤ３１、およびＣＤ４５から選択された少なくとも１つの細胞マーカーの低発現または非発現、ならびにＭＭＰ、ＲＡＧＥ、ＩＦＮγＲ１、ＩＦＮγＲ２、ＩＬ−１２、ＴＮＦα、およびＶＣＡＭ１からの少なくとも１つのマーカーの低発現または非発現、の特性をさらに含む、請求項１０に記載の方法。
【請求項１５】
前記Ｔ−ＭＳＣが、照射にさらに供される、請求項１０に記載の方法。
【請求項１６】
請求項１０に記載のＴ−ＭＳＣの集団および薬学的に許容される担体を含む、薬学的調製物。
【請求項１７】
Ｔ細胞、Ｂ細胞、炎症性、および／または先天性免疫関連疾患を治療するための方法であって、それを必要とする対象に、前記疾患の少なくとも１つの症状を寛解もしくは軽減させる、前記疾患を逆転させる、前記疾患の程度を最小限に抑えるまたはそれらの発症を阻害させるのに十分な量の請求項１０に記載のＴ−ＭＳＣの集団を投与することを含む、方法。
【請求項１８】
請求項１３に記載の選択されたＴ−ＭＳＣおよび担体を含む、キット。
【請求項１９】
解凍試薬、免疫抑制エンハンサー、および抗ヒスタミンをさらに含む、請求項１８に記載のキット。
【請求項２０】
前記ＴＭＳＣをガンマ線照射で照射する、請求項１２に記載の方法。
【手続補正書】
【提出日】平成28年7月21日(2016.7.21)
【手続補正１】
【補正対象書類名】特許請求の範囲
【補正対象項目名】全文
【補正方法】変更
【補正の内容】
【特許請求の範囲】
【請求項１】
喫煙具のフィルター要素における使用に適した繊維束を形成するための方法であって：
第１の複数の酢酸セルロースステープル繊維を、前記第１の複数のステープル繊維とは異なるポリマー材料を含む第２の複数のステープル繊維とブレンドして繊維混合物を得；
前記繊維混合物を梳毛して、２０，０００デニール〜８０，０００デニールの範囲内の総繊度を有する混合繊維スライバーを提供し；そして
前記混合繊維スライバーを成形して、喫煙具用のフィルター要素を組み入れるための構成である連続円筒形ロッド形状を形成することを含む、方法。
【請求項２】
喫煙具用のフィルター要素を形成するための方法であって：
第１の複数の酢酸セルロースステープル繊維と、前記第１の複数のステープル繊維とは異なるポリマー材料を含む第２の複数のステープル繊維との混合物を含む混合繊維スライバーであって、２０，０００デニール〜８０，０００デニールの範囲内の総繊度を有する混合繊維スライバーを受容し；そして
前記混合繊維スライバーを加工して、喫煙具中に組み入れるために適したフィルター要素を提供することを含み、前記加工ステップが前記混合繊維スライバーを成形して連続円筒形ロッド形状を形成することを含む、方法。
【請求項３】
前記混合繊維スライバーが３０，０００デニール〜６０，０００デニールの範囲内の総繊度を有する、請求項１または２記載の方法。
【請求項４】
前記第２の複数のステープル繊維が分解性ポリマー材料を含む、請求項１または２記載の方法。
【請求項５】
前記分解性ポリマー材料が、脂肪族ポリエステル、セルロース、再生セルロース、デンプン粒子が埋め込まれた酢酸セルロース、アセチル基でコーティングされたセルロース、ポリビニルアルコール、デンプン、脂肪族ポリウレタン、ポリエステルアミド、シス−ポリイソプレン、シス−ポリブタジエン、ポリアンヒドリド、ポリブチレンスクシネート、ならびにそれらのコポリマーおよびブレンドからなる群から選択される、請求項４記載の方法。
【請求項６】
前記第１の複数の酢酸セルロースステープル繊維の前記第２の複数のステープル繊維に対する重量比が２５：７５〜７５：２５である、請求項１または２記載の方法。
【請求項７】
前記第１の複数の酢酸セルロースステープル繊維および前記第２の複数のステープル繊維が２〜２０インチの範囲内の長さを有する、請求項１または２記載の方法。
【請求項８】
前記第１の複数の酢酸セルロースステープル繊維および前記第２の複数のステープル繊維が５〜１５インチの範囲内の長さを有する、請求項１または２記載の方法。
【請求項９】
前記第１の複数の酢酸セルロースステープル繊維および前記第２の複数のステープル繊維が７インチ以上の長さを有する、請求項１または２記載の方法。
【請求項１０】
前記混合繊維スライバーを牽引して、前記混合繊維スライバーの前記デニールを調節することをさらに含む、請求項１または２記載の方法。
【請求項１１】
前記混合繊維スライバーの撚糸および捲縮の一方または両方をさらに含む、請求項１または２記載の方法。
【請求項１２】
可塑剤を前記混合繊維スライバーに適用することをさらに含む、請求項１または２記載の方法。
【請求項１３】
エア交絡によるか、またはコア糸もしくはテクスチャー付与糸を前記混合繊維スライバー中に組み入れることによって前記混合繊維スライバーを強化することをさらに含む、請求項１または２記載の方法。
【請求項１４】
前記混合繊維スライバーを喫煙具用のフィルター要素中に組み入れることをさらに含む、請求項１または２に記載の方法。
【請求項１５】
第１の複数の酢酸セルロースステープル繊維と、前記第１の複数のステープル繊維とは異なるポリマー材料を含む第２の複数のステープル繊維との混合物を含む混合繊維スライバーであって、２０，０００デニール〜８０，０００デニールの範囲内の総繊度を有し、円筒形ロッド形状を有する混合繊維スライバーを含む、フィルター要素。
【請求項１６】
前記混合繊維スライバーが３０，０００デニール〜６０，０００デニールの範囲内の総繊度を有する、請求項１５記載のフィルター要素。
【請求項１７】
前記第２の複数のステープル繊維が分解性ポリマー材料を含む、請求項１５記載のフィルター要素。
【請求項１８】
前記分解性ポリマー材料が、脂肪族ポリエステル、セルロース、再生セルロース、デンプン粒子が埋め込まれた酢酸セルロース、アセチル基でコーティングされたセルロース、ポリビニルアルコール、デンプン、脂肪族ポリウレタン、ポリエステルアミド、シス−ポリイソプレン、シス−ポリブタジエン、ポリアンヒドリド、ポリブチレンスクシネート、ならびにそれらのコポリマーおよびブレンドからなる群から選択される、請求項１７記載のフィルター要素。
【請求項１９】
前記第１の複数の酢酸セルロースステープル繊維の前記第２の複数のステープル繊維に対する前記重量比が２５：７５〜７５：２５である、請求項１５記載のフィルター要素。
【請求項２０】
前記第１の複数の酢酸セルロースステープル繊維および第２の複数のステープル繊維が２〜２０インチの範囲内の長さを有する、請求項１５記載のフィルター要素。
【請求項２１】
前記混合繊維スライバーを包むプラグ巻取紙をさらに含む、請求項１５記載のフィルター要素。
【請求項２２】
前記フィルター要素が伝統的な酢酸セルロースフィルター要素よりも少なくとも５０％速い分解速度を示す、請求項１５〜２１のいずれかに記載のフィルター要素。
【請求項２３】
喫煙可能な材料のロッドと、それに取り付けられた請求項１５〜２１のいずれか１項に記載のフィルター要素とを含む、シガレット。
【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
流動性乾燥凝集栄養培地を作製する方法であって、
粉末栄養素を含む栄養成分及び凝集液を、フロースルー型凝集チャンバを備える凝集装置に導入する工程であって、前記栄養成分が微生物の増殖を促進し、前記凝集液が噴霧スプレーとして導入される、工程と、
所定の期間にわたって前記凝集チャンバ内で前記栄養成分を前記凝集液と湿式塊状化して、凝集栄養培地粒子を形成する工程と、
ある期間にわたって前記凝集栄養培地粒子を乾燥条件に曝露して、前記乾燥凝集栄養培地を形成する工程と、を含む、方法。
【請求項２】
前記粒子の亜集団を選択する工程を更に含み、
前記亜集団が、第１の粒径分布範囲よりも狭い第２の粒径分布範囲を有し、前記第２の粒径分布範囲が約１４９ミクロン〜約１０００ミクロンである、請求項１に記載の方法。
【請求項３】
請求項１又は２に記載の方法によって生成される流動性乾燥凝集栄養培地を含み、
特定の質量の前記乾燥凝集栄養培地が、前記凝集栄養培地が作られる等しい質量の前記栄養成分よりも迅速に溶解する、組成物。
【請求項４】
第１の主表面及び第２の主表面を有する自己支持型防水基材と、
前記第１の主表面の少なくとも一部上に配置された接着剤層と、
前記接着剤層の少なくとも一部上に配置された、請求項３に記載の組成物を含むコーティングと、
前記栄養培地との流体接触のために位置付けられた乾燥冷水溶性ゲル化剤と、を含む、薄膜培養デバイス。
【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
ソーラーパネルの光電池によって需要されている光量を低減するために前記ソーラーパネルをコーティングする方法であって、当該方法は、前記ソーラーパネルの受光領域を十分な厚みのコーティング組成物でコーティングするステップであって、前記コーティング組成物が、前記ソーラーパネルの受講領域を透過する光を低減させるように結合剤及び十分な量の乳白剤を備え、結果として前記ソーラーパネルの電気出力が所定レベルより小さくなるまで低減される、コーティングするステップを備え、前記所定レベルは２００ｍＡ  ＤＣである方法。
【請求項２】
前記コーティングの厚みは、５０〜１５０ミクロンであり、これにより、光透過を入射光０．１％より小さくなるまで低減することを特徴とする請求項１に記載の方法。
【請求項３】
結果として生じる電気出力は、コーティングを塗布しないソーラーパネルの電気出力と比較して電気出力の１％より小さくなるまで低減されることを特徴とする請求項２に記載の方法。
【請求項４】
結果として生じる電気出力は、電流で測定され、コートされていないパネルの電流の０．２０％より小さくなるまで低減される；または、
結果として生じる電気出力は、電圧で測定され、コートされていないパネルの電圧の２０％より小さくなるまで低減される；または、
結果として生じる電気出力は、ワット数で測定され、コートされていないパネルのワット数の０．１０％より小さくなるまで低減される；
ことを特徴とする請求項３に記載の方法。
【請求項５】
前記ソーラーパネルをコーティングするステップが、出荷前、配送前、設置前、設置中、修理前または修理中、洪水状況前または洪水状況中、電気事故前または電気事故中、あるいは、火災状況前または火災状況中になされることを特徴とする請求項１に記載の方法。
【請求項６】
塗布されたソーラーパネル及び任意の周辺の構造物から硬化塗膜が、硬化した際に比較的安易にコーティング材が剥がされるように、前記コーティング組成物が離型剤を含む；または、
前記コーティング組成物は、難燃添加剤を含むように配合される；または、
コーティングが日光において約６週間に亘って劣化しないように、前記コーティング組成物がＵＶ安定剤を含むように配合される；
ことを特徴とする請求項１に記載の方法。
【請求項７】
前記コーティング組成物が、５重量％〜２０重量％の前記乳白剤を備えることを特徴とする請求項１に記載の方法。
【請求項８】
前記乳白剤は、二酸化チタン、炭酸カルシウム、酸化亜鉛、タルカムパウダー、カーボンブラック、拡張された熱可塑性微小球体、及び、これらの任意の組み合わせから成る群から選択されることを特徴とする請求項７に記載の方法。
【請求項９】
前記結合剤が、水溶性ポリマー、分散液、エマルジョン、及び、ラテックスから成る群から選ばれる水性結合剤であることを特徴とする請求項１に記載の方法。
【請求項１０】
前記コーティング組成物が、１分〜５分以内に乾燥した膜に硬化するように配合されることを特徴とする請求項１に記載の方法。
【請求項１１】
前記コーティング組成物は、ＵＶ抑制剤を含まない；または、
前記コーティング組成物が、結果として生じるコーティングが２〜６週間以内の太陽光への露出によって劣化されるように、結果として生じる膜のＵＶ破壊を促進する少なくとも１つの添加物をさらに含む；
ことを特徴とする請求項１に記載の方法。
【請求項１２】
前記コーティング組成物は、前記ソーラーパネル上に付着性シートとしてコーティングされることを特徴とする請求項１に記載の方法。
【請求項１３】
ソーラーパネルの光電池によって受光される光量を低減するために前記ソーラーパネルの受光領域をコーティングする組成物であって、当該組成物は、
結合剤；  及び、
乳白剤；
を備え、
前記乳白剤は、前記ソーラーパネルの結果と生じる電気出力が所定レベルより小さくなるまで低減されるように、前記組成物の所定の膜厚が組成物を通過する光透過率を低減するのに十分な量含まれ、前記所定レベルは２００ｍＡ  ＤＣであることを特徴とする組成物。
【請求項１４】
前記組成物は、コーティング材が塗布されたソーラーパネル及び任意の周辺の構造物から硬化塗膜が、硬化した際に比較的安易に剥がされように離型剤を含むことを特徴とする請求項１３に記載の組成物。
【請求項１５】
前記組成物は、難燃添加剤をさらに備えることを特徴とする請求項１３記載の組成物。
【請求項１６】
コーティングが日光において約６週間に亘って劣化しないように、前記組成物がＵＶ安定剤をさらに備えることを特徴とする請求項１３に記載の組成物。
【請求項１７】
前記組成物が、５重量％〜２０重量％の乳白剤を備えることを特徴とする請求項１３に記載の組成物。
【請求項１８】
前記乳白剤は、二酸化チタン、炭酸カルシウム、酸化亜鉛、タルカムパウダー、カーボンブラック、拡張された熱可塑性微小球体、及び、これらの任意の組み合わせから成る群から選択されることを特徴とする請求項１３に記載の組成物。
【請求項１９】
前記組成物が、水溶性ポリマー、分散液、エマルジョン、及び、ラテックスから成る群から選ばれる水性結合剤を備えることを特徴とする請求項１３に記載の組成物。
【請求項２０】
前記組成物が、１分〜５分以内に十分に乾燥した膜に硬化するように配合されることを特徴とする請求項１３に記載の組成物。
【請求項２１】
前記組成物は、ＵＶ抑制剤を含まない；または、
前記組成物が、前記組成物から用意されたコーティングまたは膜のＵＶ破壊を促進する少なくとも１つの添加物をさらに備え、これにより、前記コーティングまたは膜が２〜６週間以内の太陽光への露出によって劣化されることを特徴とする請求項１３に記載の組成物。
【請求項２２】
ソーラーパネルを電気無効化する方法であって、当該方法は、
ａ）前記ソーラーパネルの光電池に届く光量を低減するようにコーティング組成物で前記ソーラーパネルの受光領域をコーティングするステップであって、前記コーティング組成物が結合剤及び乳白剤を備え、これにより、前記コーティング組成物の膜が前記ソーラーパネルの受光領域を透過する光を低減させる、ステップ、及び、
ｂ）前記ソーラーパネルの電気出力を測定するステップ、
を備え、
結果とし生じる前記ソーラーパネルの前記電気出力が、所定レベルより小さくなるまで低減されてない場合は、次いで、ａ）及びｂ）が、前記電気出力が前記所定レベルより小さくなるまで繰り返され、前記所定レベルは、前記所定レベルは２００ｍＡ  ＤＣであることを特徴とする方法。
【手続補正書】
【提出日】平成28年7月1日(2016.7.1)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
少なくとも1つの干渉送信機からの干渉を含むサブフレームを受信するステップと、
前記サブフレーム中のリソース要素(RE)を1つまたは複数のターゲット領域(TR)へとグループ化するステップであって、前記グループ化が少なくとも1つの基準に基づく、ステップと、
複数のTRセル(TRC)ペアを生成するステップであって、各TRCペアが、前記1つまたは複数のTRからのターゲット領域を、前記少なくとも1つの干渉送信機またはサービングセルの1つと関連付ける、ステップと、
前記複数のTRCペアの処理の優先順位を決定するステップと、
前記処理の優先順位に基づく順序でTRを処理するステップと
を含む、方法。
【請求項２】
前記複数のTRCペアを生成するステップが、前記1つまたは複数のターゲット領域の各々を前記少なくとも1つの干渉送信機および前記サービングセルの各々とペアにするステップを含む、請求項1に記載の方法。
【請求項３】
前記複数のTRCペアを生成するステップが、前記1つまたは複数のターゲット領域の各々を前記少なくとも1つの干渉送信機または前記サービングセルの1つとペアにするステップを含む、請求項1に記載の方法。
【請求項４】
前記処理の優先順位のうちの最高の処理の優先順位が、物理制御フォーマットインジケータチャネルを含むREを含むTRを有するTRCペアに割り当てられる、請求項1に記載の方法。
【請求項５】
少なくとも1つのTRが、物理ダウンリンク制御チャネル、物理ダウンリンク共有チャネル、および物理制御フォーマットインジケータチャネルのうちの1つまたは複数に割り振られたREを含む、請求項1に記載の方法。
【請求項６】
前記複数のTRCペアの処理の優先順位を決定する前記ステップが、
第1の干渉送信機から受信された第1の信号に基づいて、前記複数のTRCペアの優先順位を初期化するステップと、
第2の干渉送信機から受信された第2の信号に基づいて、前記複数のTRCペアの前記優先順位を変更するステップとを含む、請求項1に記載の方法。
【請求項７】
前記複数のTRCペアの優先順位を初期化する前記ステップが、前記1つまたは複数のTRにおける前記第1の信号および前記第2の信号の相対的な電力レベルを決定するステップを含む、請求項6に記載の方法。
【請求項８】
前記複数のTRCペアの優先順位を初期化する前記ステップが、前記1つまたは複数のTRにおける前記第1の信号の存在または不存在に基づいて優先順位を割り当てるステップを含む、請求項6に記載の方法。
【請求項９】
前記第1の信号が、物理ダウンリンク制御チャネル、物理ダウンリンク共有チャネル、
および物理制御フォーマットインジケータチャネルのうちの1つまたは複数を含むREと関連付けられる、請求項8に記載の方法。
【請求項１０】
前記複数のTRCペアの前記優先順位を変更する前記ステップが、前記1つまたは複数のTRにおける前記第1の信号と前記第2の信号との電力レベルの差を決定するステップを含む、請求項6に記載の方法。
【請求項１１】
前記複数のTRCペアの前記優先順位を変更するステップが、第1の干渉送信機と関連付けられる電力レベルが第2の干渉送信機と関連付けられる電力レベルよりも高いとき、前記第2の干渉送信機と関連付けられるTRを有するTRCペアに割り当てられる優先順位よりも高い優先順位を、前記第1の干渉送信機と関連付けられるTRを有するTRCペアに割り当てるステップを含む、請求項10に記載の方法。
【請求項１２】
TRを処理する前記ステップが、最高の優先順位のTRCペアのTRを処理するステップを含み、前記処理するステップの結果に基づいて、前記複数のTRCペアの処理の優先順位を変更するステップをさらに含む、請求項1に記載の方法。
【請求項１３】
前記処理するステップの前記結果が、物理ダウンリンク制御チャネル、物理ダウンリンク共有チャネル、および物理制御フォーマットインジケータチャネルのうちの1つまたは複数の不存在を示すとき、前記複数のTRCペアの前記処理の優先順位を変更するステップが、NULLの優先順位をTRに割り当てるステップを含む、請求項12に記載の方法。
【請求項１４】
ワイヤレス通信のための装置であって、
少なくとも1つの干渉送信機からの干渉を含むサブフレームを受信するための手段と、
前記サブフレーム中のリソース要素(RE)を1つまたは複数のターゲット領域(TR)へとグループ化するための手段であって、前記グループ化が少なくとも1つの基準に基づく、手段と、
複数のTRセル(TRC)ペアを生成するための手段であって、各TRCペアが、前記1つまたは複数のTRからのターゲット領域を、前記少なくとも1つの干渉送信機またはサービングセルの1つと関連付ける、手段と、
前記複数のTRCペアの処理の優先順位を決定するための手段と、
前記処理の優先順位に基づく順序でTRを処理するための手段と
を含む、装置。
【請求項１５】
実行されるとき、少なくとも1つのコンピュータに請求項1〜13のいずれか一項に記載の方法を実行させるための実行可能命令を備える、コンピュータプログラム。